(57)【特許請求の範囲】
【請求項１】
開口部を介して液体の流路が露出形成された本体ケースと、
前記本体ケースの前記開口部より前記流路に臨んで配置されるセンサベースと、
前記センサベースが前記流路に臨む面とは逆側の面に搭載された圧電素子と、前記圧電素子と対向して配置されて検出対象の液体を受け入れるセンサキャビティとを含むセンサチップと、
前記センサベースを前記開口部に保持し、かつ、前記開口部を封止するフィルムと、
を備え、
前記本体ケースが、前記流路に配置される気泡トラップ部と、前記流路が連通する液体収容室と、前記流路に配置される連絡流路と、前記流路に配置される上流バッファ室と、前記流路に配置される下流バッファ室と、を含み、前記液体収容室と前記下流バッファ室との間に前記連絡流路が位置し、前記連絡流路と前記下流バッファ室との間に前記気泡トラップ部が位置し、前記気泡トラップ部と前記下流バッファ室との間に前記上流バッファ室が位置し、前記上流バッファ室と前記下流バッファ室とが隔壁で仕切られ、前記上流バッファ室と前記下流バッファ室とが前記センサキャビティを介して連通され、
前記気泡トラップ部は、前記液体が消費される使用時に、収容された前記液体の残量の低下に従い液位が下降することで上方にて気泡をトラップする気泡トラップ室と、前記使用時において前記気泡トラップ室の鉛直上方側に位置し前記液体収容室から前記気泡トラップ室に前記液体を導入する導入口と、前記使用時において前記気泡トラップ室の鉛直下方側の位置にて連通されて前記液体を排出する排出口と、を含み、
前記連絡流路が、前記使用時において前記気泡トラップ室の前記排出口より鉛直上方に前記液体を導き、前記上流バッファ室の鉛直上方側の位置より前記液体を前記上流バッファ室に導入するものである、
ことを特徴とする液体収容容器。
【請求項２】
請求項１において、
前記液体収容室は、大気に開放されていることを特徴とする液体収容容器。
【請求項３】
請求項２において、
前記気泡トラップ室と前記液体収容室との間は、迷路状に屈曲する迂回流路が設けられていることを特徴とする液体収容容器。
【請求項４】
請求項３において、
前記気泡トラップ室は、前記液体の充填時には前記使用時とは上下逆転して配置され、前記充填時の鉛直上方側の位置にある前記排出口から前記液体が導入され、前記充填時の前記気泡トラップ室の鉛直方向上方部の位置に、前記充填時に開放されて前記気泡トラップ室と前記迂回流路とを連通させるバイパス流路が設けられ、前記バイパス流路は前記使用時には閉鎖されていることを特徴とする液体収容容器。
【請求項５】
請求項１乃至４のいずれかにおいて、
前記センサベースは、第１の孔と、第２の孔と、を含み、前記第１の孔を介して前記上流バッファ室が前記センサキャビティと連通され、前記第２の孔を介して前記下流バッファが前記センサキャビティと連通され、
前記センサベースは、前記開口部の奥行き方向では、前記センサベースの前記第１，第２の孔の間に位置する前記隔壁のみを介して前記本体ケースと接触可能であることを特徴とする液体収容容器。
【請求項６】
請求項５において、
前記センサベースは、直交する二軸方向にてそれぞれ二辺が対向する四辺を有する形状を有し、
前記本体ケースの少なくとも前記開口部には、前記センサベースの四辺と対向する位置に、前記センサベースの前記四辺に向けて突出する少なくとも四つの位置決め部が設けられ、
前記少なくとも四つの位置決め部を除いた領域にて、前記開口部を形成する壁部と前記センサベースの四辺との間の隙間が、前記上流側または前記下流側の前記流路の一部を形成することを特徴とする液体収容容器。
【請求項７】
請求項６において、
前記少なくとも四つの位置決め部の二つは、前記隔壁の延長線上に存在することを特徴とする液体収容容器。
【発明の詳細な説明】
【技術分野】
【０００１】
本発明は、特にインクジェット式記録装置等の液体消費装置における液体（インク）残量等の検出に適した液体収容容器に関する。
【背景技術】
【０００２】
従来の液体消費装置の代表例としては、画像記録用のインクジェット式記録ヘッドを備えたインクジェット式記録装置がある。その他の液体噴射装置としては、例えば液晶ディスプレイ等のカラーフィルタ製造に用いられる色材噴射ヘッドを備えた装置、有機ＥＬディスプレイ、面発光ディスプレイ（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置等が挙げられる。
【０００３】
液体消費装置の代表例であるインクジェット式記録装置においては、圧力発生室を加圧する圧力発生手段と加圧されたインクをインク滴として射出するノズル開口とを有するインクジェット記録ヘッドが、キャリッジに搭載されている。インク収容容器内のインクが流路を介して記録ヘッドに供給され続けることにより、印刷を継続可能に構成されている。インク収容容器は、例えばインクが消費された時点でユーザーが簡単に交換できる、着脱可能なカートリッジとして構成されている。
【０００４】
従来、インクカートリッジのインク消費の管理方法としては、記録ヘッドでのインク滴の射出数やメンテナンスにより吸引されたインク量をソフトウェアにより積算してインク消費を計算により管理する方法や、インクカートリッジに液面検出用の電極を取付けることにより実際にインクが所定量消費された時点を管理する方法などがある。
【０００５】
しかしながら、ソフトウェアによりインク滴の吐出数やインク量を積算してインク消費を計算上管理する方法には、次のような問題がある。ヘッドの中には吐出インク滴に重量バラツキを有するものがある。このインク滴の重量バラツキは画質には影響を与えないが、バラツキによるインク消費量の誤差が累積した場合を考慮して、マージンを持たせた量のインクをインクカートリッジに充填してある。従って、個体によってはマージン分だけインクが余るという問題が生ずる。
【０００６】
一方、電極によりインクが消費された時点を管理する方法は、インクの実量を検出できるので、インク残量を高い信頼性で管理できる。しかしながら、インクの液面の検出をインクの導電性に頼ることになるので、検出可能なインクの種類が限定され、電極のシール構造が複雑化してしまうという欠点がある。また、電極の材料としては、通常は導電性が良く耐腐食性も高い貴金属が使用されるので、インクカートリッジの製造コストがかさむ。さらに、２本の電極を装着する必要があるため、製造工程が多くなり、結果として製造コストがかさんでしまう。
【０００７】
そこで、上記の課題を解決すべく開発された装置が、特許文献１に圧電装置（ここでは、センサユニットと言う）として開示されている。このセンサユニットは、圧電素子が積層された振動板に対向するセンサキャビティの内部に、インクが存在する場合とインクが存在しない場合とで、強制振動後の振動板の残留振動（自由振動）に起因する残留振動信号の共振周波数が変化することを利用して、インクカートリッジ内のインク残量を監視するというものである。
【０００８】
特許文献２の図８に、センサユニットにインクを導く流路として、インクの流れを垂直方向逆向きに方向変換する複数の垂直方向変換部が開示されている。この垂直方向変換部の上方空間が、気泡捕集空間として機能している。
【０００９】
特許文献３の図９または図１４には、センサベースを、隔壁と、その左右の本体ケース壁とによって、三箇所にて支持する構造が開示されている。特許文献４には、センサと対向する液中に防波壁を設けて、タンク内の液面が泡立っても、気泡がセンサキャビティ内に入り難くする技術が開示されている。
【００１０】
なお、液体通路の開口部を覆うフィルムの一部を未溶着として液体のバイパス流路を確保し、その後フィルムの一部を溶着して液体のバイパス流路を閉鎖する技術が、特許文献５，６に開示されている。
【特許文献１】特開２００１−１４６０３０号公報
【特許文献２】特開２００６−２４８２０１号公報
【特許文献３】特開２００６−３１５３０２号公報
【特許文献４】特開２００１−３２８２７７号公報
【特許文献５】特開２００５−０２２２５７号公報
【特許文献６】特開２００４−３０６４６６号公報
【発明の開示】
【発明が解決しようとする課題】
【００１１】
特許文献２の技術は、所謂迷路状の流路であり、液体と気泡との比重差に基づき、比重の軽い気泡を上方に貯めて捕集する比重分離方式を採用したものである。
【００１２】
ここで、特許文献２の図８に示すように、気泡捕集空間の下方側位置よりインクが導入され、同じく気泡捕集空間の下方位置よりインクが導出されている。この構造に示す問題点は後述する通り、インクエンド付近では、例えば連続印字によってインクの消費が早くインクの流速が早いと、気泡捕集空間内の気泡がインク中に吸い込まれてインクと共に流出してしまう。こうなると、センサキャビティの直ぐ上流のバッファ室にて泡立ってしまい、気泡がセンサにて検出されることで、インクエンドを誤検出してしまう。
【００１３】
特許文献３の技術では、圧電素子の振動が、センサベースと三箇所にて接触する本体ケースにて吸収され、圧電素子にて検出できる振動を充分に確保しにくい。また、センサベースを本体ケースに形成した開口部にて位置決めしているので、インク注入時には、センサベース周囲の微細な隙間に気泡が残留し、インクエンドを誤検出する虞があつた。このことは特許文献４の防波壁によっても防止できず、なぜなら防波壁はインクを初期に注入する時にインクの流れを阻害し、センサベース周囲に気泡を発生させる可能性が高いからである。
【００１４】
そこで、本発明の目的は、収容された液体残量が少なくなっても、センサキャビティの直ぐ上流での泡立ちを防止して、液体検出精度を高めることができる液体収容容器を提供することにある。
【００１５】
本発明の他の目的は、液体検出時の振幅を大きくできる構造を備え、さらには液体導入時にセンサベース周囲に気泡が残留しにくい構造によって、誤検出を低減した液体収容容器を提供することにある。
【課題を解決するための手段】
【００１７】
本発明の一態様に係る液体収容容器は、
開口部を介して液体の流路が露出形成された本体ケースと、
前記本体ケースの前記開口部より前記流路に臨んで配置されるセンサベースと、
前記センサベースが前記流路に臨む面とは逆側の面に搭載された圧電素子と、前記圧電素子と対向して配置されて検出対象の液体を受け入れるセンサキャビティとを含むセンサチップと、
前記センサベースを前記開口部に保持し、かつ、前記開口部を封止するフィルムと、
前記本体ケース内にて前記流路を上流バッファ室と下流バッファ室とに仕切る隔壁と、
前記上流バッファ室のさらに上流側に配置された気泡トラップ部と、を備え、
前記気泡トラップ部は、前記液体が消費される使用時に、収容された前記液体の残量の低下に従い液位が下降することで上方にて気泡をトラップする気泡トラップ室と、前記使用時において前記気泡トラップ室の鉛直上方側の位置にて連通されて前記液体を導入する導入口と、前記使用時において前記気泡トラップ室の鉛直下方側の位置にて連通されて前記液体を排出する排出口と、を含むことを特徴とする。
【００１８】
本発明の一態様は、液体に所定の容量があり、その液体が消費される際の液体検出を行なう液体検出装置を内蔵した液体収容容器を対象としている。一般に、連続的に液体を供給する流路途中に気泡トラップ室を設けることは公知であり、大別して、比重分離方式と遠心分離方式が採用されるが、本発明では構造が簡易な比重分離方式を採用している。
【００１９】
気泡トラップ室は、収容された液体の残量の低下に従い液位が下降することで上方にて気泡をトラップする。この気泡トラップの過程として、気泡トラップ室には、液位が下降する際に、気泡トラップ室の導入口が鉛直上方側の位置にあると、液位が下がる過程の時間に亘って、気泡は液外の上方空間に溜まった気体と一体化される。それにより、気泡が液体中に混入することが防止される。気泡トラップ室の排出口が鉛直下方側の位置にあると、気泡が混入されていない液体を排出するだけとなり、それよりも下流の上流バッファ室には気泡が混入することがなくなる。これにより、液体検出時に誤検出することが防止される。
【００２０】
本発明の一態様では、上流バッファ室と前記気泡トラップ室との間には、前記使用時において前記気泡トラップ室の前記排出口より鉛直上方に前記液体を導き、前記上流バッファ室の鉛直上方側の位置より前記液体を前記上流バッファ室に導入する連絡流路をさらに設けることができる。
【００２１】
こうすると、上流バッファ室でも、上述の通りメニスカスが破壊・再生を繰り返す過程で気泡が液中から除外されるので、センサキャビティに液中に混入した気泡が流れ込んで誤検出されることを防止できる。
【００２２】
本発明の一態様では、前記気泡トラップ室よりさらに上流に配置されて前記液体を収容する液体収容室を、大気に開放することができる。こうすると、気泡トラップ室に形成されたメニスカスの上方空間は、気泡を吸収した大気に満たされる。
【００２３】
本発明の一態様では、前記気泡トラップ室と前記液体収容室との間に、迷路状に屈曲する迂回流路を設けることができる。この迂回流路もまた、気泡をトラップすることができる。
【００２４】
本発明の一態様では、前記気泡トラップ室は、前記液体の充填時には前記使用時とは上下逆転して配置してもよい。このとき、前記充填時の鉛直上方側の位置にある前記排出口から前記液体が導入されることになる。そこで、前記充填時の前記気泡トラップ室の鉛直方向上方側の位置に、前記充填時に開放されて前記気泡トラップ室と前記迂回流路とを連通させるバイパス流路を設けることができる。このバイパス流路は、充填時に気泡トラップ室の上方に溜まった気泡を迂回流路側に逃がすことができる。よって、気泡トラップ室の液中に気泡が混入することを防止できる。また、気泡トラップ室に気泡が混入することで気泡トラップ室内の液体容量が低下することを防止できる。なお、バイパス流路は、液体を消費する使用時には閉鎖される。
【００２５】
本発明の一態様では、前記センサベースは、前記流路の上流側より前記センサキャビティに前記液体を導く第１の孔と、前記センサキャビティより前記流路の下流側に前記液体を導く第２の孔と、を含み、前記センサベースは、前記開口部の奥行き方向では、前記センサベースの前記第１，第２の孔の間に位置して、前記隔壁のみを介して前記本体ケースと接触可能とすることができる。
【００２６】
本発明の一態様では、圧電素子が振動すると、圧電素子を含むセンサチップが搭載されているセンサベースも振動する。このセンサベースと本体ケースとの接触面積が大きいと、センサベースの振動は本体ケースに吸収されてしまう。この場合、圧電素子にて検出される例えば残留振動波形の振幅は、圧電素子にて検出できる程度の充分な大きさが得られなくなる。本発明の一態様では、実施形態では、センサベースは、開口部の奥行き方向では隔壁のみを介して本体ケースと接触可能である。従って、本体ケースに吸収される振動は最小限となり、圧電素子にて検出可能な充分な振幅を確保できる。また、センサベースを開口部に取り付ける際に、隔壁によってセンサベースを支持でき、センサベースが開口部の奥方に落下することを防止できる。
【００２７】
本発明の一態様では、前記本体ケースは、前記センサベースと対向する位置に流路壁を有し、前記隔壁は、前記本体ケースの前記流路壁に一体的に形成されて前記センサベースに向けて延在することができる。この場合、本体ケースの成形時に隔壁を一体的に形成できる。
【００２８】
本発明の一態様では、前記本体ケースは、前記センサベースを前記開口部に取り付ける組立時に、前記隔壁以外の１または複数箇所にて前記センサベースを支持する補助支持部をさらに有することができる。これにより、センサベースを開口部に取り付ける際に、少なくとも２点支持されるので、組立時にセンサベースを安定して支持できる。
【００２９】
ただし、前記補助支持部は、前記センサベースが前記フィルムによって前記流路壁に対して実質的に平行に支持された状態では前記センサベースと非接触である。これにより、圧電素子での検出時には、センサベースは隔壁のみと接触可能となり、圧電素子にて検出可能な充分な振幅を確保できる。なお、液体収容容器を落下させた際のように、衝撃力が作用する異常時には、センサベースが補助支持部と接触して、センサベースの傾きを規制できる。これにより、センサベースによってフィルムが破断されることを防止できる。
【００３０】
以上の効果を得るために、前記流路壁から前記補助支持部の先端までの高さを、前記流路壁から前記隔壁の先端までの高さよりも低くすることができる。
【００３１】
本発明の一態様では、前記フィルムによって支持された前記センサベースと、隔壁とが常時接触していることまで要求されない。フィルムによって支持されたセンサベースと隔壁との間に僅かな間隙があってもよい。ただし、前記本体ケースに一体形成した前記隔壁との間の間隙の流路抵抗が、前記第１の孔の流路抵抗よりも大きいことが条件となる。これにより、間隙を介して上流側から下流側に液体又は気泡が通過することを阻止でき、隔壁としての機能を担保できるからである。また、圧電素子での検出振幅を大きくするには、センサベースと隔壁とが非接触のほうがより好ましい。
【００３２】
本発明の一態様では、前記隔壁の基端部よりも先端部が薄く形成され、薄い先端部を前記センサベースの前記第１，第２の孔間に位置させることができる。こうすると、隔壁の成形性が良好となり、しかも、隔壁によって第１，第２の孔の一部が塞がれることを防止できる。
【００３３】
本発明の一態様では、上述した隔壁は、前記第１，第２の孔の間にて前記センサベースに一体的に形成されてもよい。また、上述した補助支持部をセンサベースと一体的に形成しても良い。この場合、前記センサベースから前記補助支持部の先端までの高さを、前記センサベースから前記隔壁の先端までの高さより低くすることができる。
【００３４】
本発明の一態様では、前記センサベースは、直交する二軸方向にてそれぞれ二辺が対向する四辺を有する形状を有し、前記本体ケースの少なくとも前記開口部には、前記センサベースの四辺と対向する位置に、前記センサベースの前記四辺に向けて突出する少なくとも四つの位置決め部が設けられ、前記少なくとも四つの位置決め部を除いた領域にて、前記開口部を形成する壁部と前記センサベースの四辺との間の隙間が、前記上流側または前記下流側の前記流路の一部を形成してもよい。
【００３５】
センサベースは、少なくとも四つの位置決め部によって少なくとも四辺が位置決めされて開口部内に配置されると共に、少なくとも四つの位置決め部を除いた領域に形成される隙間が液体流路となる。これにより、センサベースの周囲に気泡が残留し、それに起因して液体検出を誤検出することを低減できる。四つの位置決め部によっても隙間は形成されるが、従来技術に比べればその形成領域は充分に少なく、気泡が成長するスペースとはならない。
【００３６】
ここで、少なくとも四つの位置決め部の二つは、前記隔壁の延長線上に存在している。流路の上流側と下流側との間は、センサキャビティのみを経由させるためである。
【００３７】
また、少なくとも四つの位置決め部の一つは、前記センサベースの一辺、より好ましくに長辺に沿って長手状に形成されていることが好ましい。センサベースの回転方向の位置決めに効果的だからである。
【００３８】
また、前記流路の前記上流側に液体を供給する供給口は、前記センサベースの前記第１の孔と非対向な位置に配置され、前記流路の前記下流側より液体を排出する排出口は、前記センサベースの前記第２の孔と非対向な位置に配置されていることが好ましい。供給口から導入される液体、あるいはセンサベースの第２の孔より導出される液体は、センサベースまたは流路を形成する壁に当たって分散され、隙間に流れ込みやすくなるからである。
【００３９】
さらには、前記流路の前記上流側に液体を供給する供給口と、前記流路の前記下流側より液体を排出する排出口とが、前記少なくとも四つの位置決め部を除いた領域にて前記開口部と対向して配置されていることが好ましい。このことによっても、上述した隙間に液体が流れ込みやすくなるからである。
【００４０】
本発明の他の態様は、液体のタンク室と、前記タンク室に連通される第１，第２の連通口と、前記第１の連通口に連通する流路とを有する液体収容容器の製造方法において、前記タンク室及び前記流路にそれぞれ連通する各々の開口部が形成された前記液体収容容器の一面に、フィルムを溶着する工程と、前記タンク室の鉛直上方部に配置される第２の連通口より前記タンク室内に液体を導入する工程と、前記充填時に、前記タンク室の鉛直上方側に溜まる気泡を、前記タンク室の開口部から前記フィルムの未溶着部分を介して前記流路の開口部に至るバイパス流路を経て、前記タンク室より前記流路に逃がす工程と、を有することを特徴とする。
【００４１】
本発明の他の態様によれば、タンク室の鉛直上方部に配置される第２の連通口よりタンク室内に液体を導入すると、タンク室の鉛直上方側に気泡が溜まりやすい構造となる。この構造では気泡の逃げ場がないので、残留した気泡の量だけ液体をタンク室に充填できなくなる。この際、タンク室の鉛直上方部に溜まる気泡を、タンク室の開口部からフィルムの未溶着部分を介して流路の開口部に至るバイパス流路を経て、タンク室より前記流路に逃がすことができる。これにより、タンク室に充分な量の液体を充填することが可能となる。
【００４２】
本発明の他の態様では、前記充填工程の終了後に、前記フィルムの前記未溶着部分を溶着して前記バイパス流路を閉鎖する工程をさらに有することができる。充填工程の終了後に、気泡を逃がす必要がなければ、バイパス流路は閉鎖しても構わないからである。逆に、液体収容容器には常に一定方向に液体が流れるバッファのようなものであれば、バイパス流路を閉鎖する必要はなく、常時気泡抜き機能を確保すべきである。
【００４３】
本発明のさらに他の態様は、液体のタンク室と、液体消費時に前記タンク室の鉛直上方部に配置される第１の連通口と、液体消費時に前記液タンク室の鉛直下方部に配置される第２の連通口と、前記第１の連通口に連通する流路とを有する液体収容容器であって、前記液体消費時に前記第１の連通口より前記タンク室内に液体を導入し、前記第２の連通口より前記タンク室内の液体を排出する液体収容容器の製造方法において、前記タンク室及び前記流路にそれぞれ連通する各々の開口部が形成された前記液体収容容器の一面に、フィルムを溶着する工程と、前記液体消費時とは前記液体収容容器の上下を逆転させた姿勢で液体を充填し、その充填時に、前記タンク室の鉛直上方部に配置される第２の連通口より前記タンク室内に液体を導入する工程と、前記充填時に、前記タンク室の鉛直上方部に溜まる気泡を、前記タンク室の開口部から前記フィルムの未溶着部分を介して前記流路の開口部に至るバイパス流路を経て、前記タンク室より前記流路に逃がす工程と、前記充填工程の終了後に、前記フィルムの前記未溶着部分を溶着して前記バイパス流路を閉鎖する工程と、を有することを特徴とする。
【００４４】
本発明のさらに他の態様では、液体消費時と充填時とで液体収容容器の上下が逆転されるので、充填時にはタンク室の鉛直上方側に気泡が溜まりやすい構造となる。この場合も上記と同様にして、溜まった気泡を逃がすことができる。
【００４５】
本発明のさらに他の態様は、気泡トラップ室と、液体消費時に前記気泡トラップ室の鉛直上方部に配置される第１の連通口と、液体消費時に前記液気泡トラップ室の鉛直下方部に配置される第２の連通口と、前記第１の連通口に連通する流路とを有する液体収容容器であって、前記液体消費時に前記第１の連通口より前記気泡トラップ室内に液体を導入し、前記第２の連通口より前記気泡トラップ室内の液体を排出する液体収容容器の製造方法において、前記気泡トラップ室及び前記流路にそれぞれ連通する各々の開口部が形成された前記液体収容容器の一面に、フィルムを溶着する工程と、前記液体消費時とは前記液体収容容器の上下を逆転させた姿勢で液体を充填し、その充填時に、前記気泡トラップ室の鉛直上方部に配置される第２の連通口より前記気泡トラップ室内に液体を導入する工程と、前記充填時に、前記気泡トラップ室の鉛直上方部に溜まる気泡を、前記気泡トラップ室の開口部から前記フィルムの未溶着部分を介して前記流路の開口部に至るバイパス流路を経て、前記気泡トラップ室より前記流路に逃がす工程と、前記充填工程の終了後に、前記フィルムの前記未溶着部分を溶着して前記バイパス流路を閉鎖する工程と、を有することを特徴とする。
【００４６】
本発明の他の態様は、上述した態様に係るタンク室を気泡トラップ室に置き換えたものである。この気泡トラップ室でも、収容された液体の残量の低下に従い液位が下降することで上方にて気泡をトラップすることができる。この気泡トラップの過程として、気泡トラップ室には、液位が下降する際に、気泡トラップ室の導入口が鉛直上方側の位置にあると、液位が下がる過程の時間に亘って、気泡は液外の上方空間に溜まった気体と一体化される。それにより、気泡が液体中に混入することが防止される。液体充填時での気泡を逃がす動作は、上述した通りと同じである。
【００４７】
上述した各方法において、前記気泡を逃がす工程では、前記液体収容容器の一面より突出形成された一つ以上の突起が前記未溶着部分とされ、前記一つ以上の突起により前記液体収容容器の一面と前記フィルムとの間に生じた隙間が前記バイパス流路として用いられ、前記バイパス流路の閉鎖工程では、前記一つ以上の突起を前記フィルムと溶着して押し潰すことができる。あるいは、前記気泡を逃がす工程では、前記液体収容容器の一面より窪んで形成された一つ以上の溝が前記未溶着部分とされ、前記一つ以上の溝の底部と前記液体収容容器の一面との間に生じた隙間が前記バイパス流路として用いられ、前記バイパス流路の閉鎖工程では、前記一つ以上の溝を前記フィルムと溶着して、前記一つ以上の溝を閉鎖することができる。
【００４８】
さらに、前記充填時には、前記流路側から排気する工程を含むことができる。こうすると、流路側に逃げた気泡は排気されて外部に放出できる。
【発明を実施するための最良の形態】
【００４９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００５０】
（インクカートリッジの概要）
本発明の実施形態の液体検出装置付きのインクカートリッジ（液体収容容器）について、図面を参照して説明する。
【００５１】
図１は、本実施形態のインクカートリッジが使用されるインクジェット式記録装置（液体消費装置）の概略構成を示す。キャリッジ１は、キャリッジモータ２により駆動されるタイミングベルト３を介して、ガイド部材４に案内されてプラテン５の軸方向に往復移動されるように構成されている。
【００５２】
キャリッジ１の記録用紙６に対向する側にはインクジェット式記録ヘッド１２が搭載されている。キャリッジ１の上部に設けられたホルダ（図示せず）には記録ヘッド１２にインク（水性インク又は油性インク）を供給するインクカートリッジ１００が着脱可能に装着されている。
【００５３】
この記録装置の非印字領域であるホームポジション(図１中、右側)にはキャップ部材１３が配置されている。キャップ部材１３は、キャリッジ１に搭載された記録ヘッド１２がホームポジションに移動した時に、記録ヘッド１２のノズル形成面に押し当てられてノズル形成面との間に密閉空間を形成する。キャップ部材１３の下方には、キャップ部材１３により形成された密閉空間に負圧を与えて、クリーニング等を実施するためのポンプユニット１０が配置されている。
【００５４】
キャップ部材１３における印字領域側の近傍には、ゴムなどの弾性板を備えたワイピング手段１１が、記録ヘッド１２の移動軌跡に対して例えば水平方向に進退できるように配置されている。ワイピング手段１１は、キャリッジ１がキャップ部材１３側に往復移動するに際して、必要に応じて記録ヘッド１２のノズル形成面を払拭する。
【００５５】
図２は、インクカートリッジ１００の概略構成を示す分解斜視図である。なお、図１はインクカートリッジ１００がキャリッジ１に装着された状態での上下方向と一致した状態で図示されている。よって、以下の説明で用いる上下の用語とは、インクカートリッジ１００をキャリッジ１に搭載した状態での上下方向を意味する。
【００５６】
インクカートリッジ１００は、本体ケース１０２の裏面を覆うフィルム１０４と、フィルム１０４及び本体ケース１０２の底面を覆う蓋体１０６と、本体ケース１０２の表面及び上面を覆うフィルム１０８と、を有する。
【００５７】
本体ケース１０２は、リブや壁によって複雑に区画されている。本体ケース１０２には、インク収容領域及びインク送出流路からなるインク流路部と、インク収容領域を大気に連通させるインク側通路と、大気弁収容室及び大気側通路からなる大気連通部とを備えているが、その詳細な説明は省略する（例えば、特開２００７−１５４０８参照）。
【００５８】
インク流路部のインク送出流路は、最終的にはインク供給部１１０に連通され、このインク供給部１１０からインクカートリッジ１００内のインクが負圧によって吸い上げられて供給される。
【００５９】
インク供給部１１０には、キャリッジ１に設けられたホルダのインク供給針（図示せず）が嵌入される。インク供給部１１０には、インク供給針に押圧されて摺動、開弁する供給弁１１２と、インク供給針の周囲に嵌合するエラストマ等の弾性材料からなるシール部材１１４と、供給弁１１２をシール部材１１４に向けて付勢するコイルバネからなる付勢部材１１６とを有する。これらは、付勢部材１１６を装填し、次いでシール部材１１４をインク供給部１１０に嵌合させ、最後に供給弁１１２を押し込むことにより組み立てられている。
【００６０】
本体ケース１０２の一側面には、キャリッジ１に設けられたホルダ側に係合されるレバー１２０が設けられている。本体ケース１０２の一側面であって、例えばレバー１２０の下方位置には、インク供給部１１０の上流側であって、インク送出流路の終端位置が開口する開口部１３０が形成されている。開口部１３０の周縁には溶着用リブ１３２が形成されている。この開口部１３０に臨むインク送出流路１３４を上流バッファ室１３４ａ及び下流バッファ室１３４ｂ（図２では符号を省略、後述の図８及び図９参照）に仕切る隔壁リブ１３６が形成されている。
【００６１】
（インク検出装置の概要）
次に、本体ケース１０２、インク送出流路１３４及び隔壁リブ１３６を用いて構成される本実施形態に係る液体検出装置を備えたインク検出装置２００の概要について、図２及び図３を参照して説明する。図３は、図２に示すインクカートリッジ１００のうち、インク検出装置２００を拡大して示している。
【００６２】
図２及び図３において、インク検出装置２００は、インク送出流路１３４が形成された樹脂製の本体ケース１０２と、本体ケース１０２の開口部１３０よりインク送出流路１３４に臨んで配置される金属製のセンサベース２１０と、センサベース２１０がインク送出流路１３４に臨む面とは逆側の面に搭載されたセンサチップ２２０と、センサベース２１０を開口部１３０に保持し、かつ、開口部１３０を封止するフィルム２０２と、本体ケース１０２内にてインク送出流路１３４を上流側と下流側とに仕切る隔壁１３６とを含んでいる。フィルム２０２は、センサベース２１０の上面に接着されると共に、開口部１３０の周囲の溶着用リブ１３２に溶着される。
【００６３】
図２及び図３では、インク検出装置２００はさらに、センサベース２１０、センサチップ２２０及びフィルム２０２の上側に配置される押さえカバー２３０と、押さえカバー２３０に収容され、フィルム２０２に形成された孔２０２ａを介してセンサチップ２２０と電気的に接触する端子２４２を備えた中継端子２４０と、押さえカバー２３０に収容され、かつ、中継端子２４０の端子２４４と電気的に接続される回路基板２５０とを有することができる。なお、本発明に係る液体収容容器２００としては、押さえカバー２３０、中継端子２４０及び回路基板２５０は不可欠な構成要素ではない。
【００６４】
（インク検出装置の上流側の流路構造）
インク検出装置を詳述する前に、インク検出装置内部のインク送出流路１３４よりもさらに上流の流路構造について、図４を参照して説明する。
【００６５】
図４は、本実施形態のインク収容容器のうち、インク検出装置２００を含む最下流部分を示す断面図である。図４では、インク収容領域であるタンク室２６０及びそれに連通する送出流路として上下左右に曲折した迷路状の迂回流路２７０が模式的に示されている。例えば、迂回流路２７０の最下流端に気泡トラップ部２８０が配置されている。また、この気泡トラップ部２８０は、例えば連絡流路２９０を介して、インク検出装置２００のインク送出流路１３４と連通している。
【００６６】
気泡トラップ部２８０は、インクが消費される使用時に、収容されたインク残量の低下に従い液位ＬＨ１が下降することで上方にて気泡をトラップする気泡トラップ室２８２と、インク使用時において気泡トラップ室２８２の鉛直上方側の位置にて連通されてインクを導入する導入口２８４と、インク使用時において気泡トラップ室２８２の鉛直下方側の位置にて連通されてインクを排出する排出口２８６とを含む。
【００６７】
本実施形態では、気泡トラップ室２８２は、インクと気泡との比重差によってインクと気泡とを分離する比重分離方式を採用している。この比重分離方式は、連続的に液体を供給するシステムでは公知であるが、本実施形態は特にインク残量が少なくなった時でも気泡がインクに混入しないための構造を具備している。
【００６８】
気泡トラップ室２８２は、収容された液体の残量の低下に従い液位ＨＬ１が下降することで上方にて気泡をトラップする。この気泡トラップ自体は比重分離方式の原理そのものであり、液体をエンドレスで連続的に供給するものに使用される気泡トラップ室と相違はない。
【００６９】
インク残量が低下した時の気泡トラップの過程として、気泡トラップ室２８２には、導入口２８４が鉛直上方側の位置にあると、初期的に導入口２８４から発生する気泡が気泡トラップ室２８２に混入しても、やがてそれら気泡群の下端が導入口２８４より下回った時点で、導入口２８４にメニスカスは形成出来なくなり気泡発生は止まる。同時に上方に溜まった気泡は壊れ互いに合体して一つの気体の空間が形成され、その液面がＨＬ１である。気泡トラップ室２８２ではそれ以降、気泡が液体中に混入することが防止される。気泡トラップ室２８２の排出口２８６が鉛直下方側の位置にあると、気泡が混入されていない液体を排出するだけとなり、それよりも下流側の連絡通路２９０及びインク検出装置２００の送出流路１３４には気泡が混入することがなくなる。これにより、気泡を検出することでインクエンド検出を行なう際に、誤検出することが防止される。
【００７０】
図５は、比較例を示している。この比較例では、液体をエンドレスで連続的に供給するものに使用される気泡トラップ室５００を、連絡流路５１０を介して、インク検出装置２００の送出流路１３４に連通させた。つまり気泡トラップ室５００の導入口５０２及び排出口５０４は、気泡トラップ室５００の鉛直方向下方位置に共に配置されている。この気泡トラップ室５００でも、その延長上方に延びた空間に、比重の軽い気泡をトラップすることはできる。
【００７１】
しかし、この比較例の場合、特にインクの時間当たりの消費量が大きい場合には、気泡トラップ室５００には最後までインクが気泡によって置換わって行くので、インク検出装置２００に気泡が到達した時点でもそれより上流で気泡が多数残っている事がある。この状態で時間が経過すると気泡はやがて壊れてなくなるが、それらを形成していたインクが少なく無く残インクとなり、再度使用時にインク検出装置２００に吸い込まれて後検出の虞がある。他にも気泡トラップ室５００内の気泡５０６がインクの流れに巻き込まれ、下流側の連絡流路５１０を介して、インク検出装置２００の送出流路１３４に気泡が送出されてしまう。こうなると、後述する通りセンサキャビティ内に気泡が混入してインクエンドを誤検出してしまう。
【００７２】
この点、図４に示す本実施形態では、気泡トラップ室２８０の上方位置に設けられた導入口５０４からインクが導入され、気泡トラップ室２８２内では、インク残量の減少に従い位ＨＬ１が下がる過程の時間に亘って、インク内への気泡の残留を確実に防止できる。
【００７３】
本実施形態では、気泡トラップ室２８２と送出流路１３４とを直結しても良いが、気泡トラップ室２８２の下流側に連絡流路２９０を設けることができる。連絡流路２９０は、インク消費時において気泡トラップ室２８２の排出口２８６と連通する供給口２９２を有し、鉛直下方位置から導入したインクを鉛直上方に導く。そして、送出流路１３４（上流バッファ室１３４ａ）の鉛直上方側の位置の導出口２９４よりインクに導入する連絡流路２９０がさらに有する。
【００７４】
このようにすると、気泡トラップ室２８２内のインクが空になった後のインクエンド近傍では、図４に示すように送出流路１３４（上流バッファ室１３４ａ）内にて液位ＨＬ２が低下し、その際にメニスカスが形成される。従って、送出流路１３４（上流バッファ室１３４ａ）内でも、上述の通りメニスカスが破壊・再生を繰り返す過程で気泡が液中から除外される。こうして、誤検出されることをさらに防止できる。
【００７５】
ここで、本実施態様では、気泡トラップ室２８２よりさらに上流に配置されてインクを収容する液体収容室（タンク室）２６０は、前述した通り大気に開放されている。こうすると、気泡トラップ室２８２に形成されたメニスカスの上方空間は、消費されたインクに置換わる形で大気に満たすことができる。
【００７６】
さらに、本実施形態では、気泡トラップ室２８２と液体収容室（タンク室）２６０との間に、迷路状に屈曲する迂回流路２７０を設けている。この迂回流路２７０もまた、気泡をトラップすることができる。
【００７７】
本実施形態では、インク液体の充填時には、インクを消費する使用時とは異なり、気泡トラップ室２８２が上下逆転するようにインクカートリッジを配置して作業しもよい。このとき、インク充填時には上下逆転されて鉛直上方側の位置にある排出口２８６からインクが導入されることになる。そこで、インク充填時の気泡トラップ室２８２の鉛直方向上方側の位置に、インク充填時に開放されて気泡トラップ室２８２と迂回流路２７０とを連通させるバイパス流路２８８を設けることができる。このバイパス流路２８８は、インク充填時に気泡トラップ室２８２の上方に溜まった気泡を迂回流路２７０側に逃がすことができる。よって、気泡トラップ室２８２の液中に気泡が混入することを防止できる。また、気泡トラップ室２８２内での気泡のたまりを排除できるので、気泡トラップ室２８２内をインクで満たすことができる。このため、気泡トラップ室２８２にあるインク検出装置２００に、インク残量が多いにもかかわらず、気泡の混入に起因してインクエンドを誤検出することを防止できる。なお、バイパス流路２８８は、インクを消費する使用時には閉鎖される。
【００７８】
（インク検出装置の詳細）
インク検出装置２００の詳細について、図６〜図１３を参照して説明する。図６は本体ケース１０２の正面図である。図６のＡ１−Ａ１断面図である図７に示すように、インク送出流路１３４は、図１に示すインク供給部１１０に至る前の終端側の位置にて、開口部１３０によって露出されている。
【００７９】
図６のＢ１−Ｂ１断面図である図８と、インクカートリッジ１００の右側面図である図９に示すように、開口部１３０により露出されたインク送出流路１３４は、隔壁１３６により、上流バッファ室１３４ａと下流バッファ室１３４ｂとに仕切られている。なお、図８に示すように、上流バッファ室１３４ａに臨んで供給口１３５ａが配置され、図６に示すように、下流バッファ室１３４ｂに臨んで排出口１３５ｂが配置されている。
【００８０】
図１０は、センサベース２１０を下方から見た斜視図である。図１１に示すように、センサベース２１０には、厚さ方向で貫通する第１の孔（供給路）２１２と第２の孔（排出路）２１４とが設けられている。
【００８１】
図１１は、センサチップ２２０が搭載されたセンサベース２１０を上方から見た斜視図である。また、図１２は、図２及び図３に示すインク検出装置２００を組み立てた状態を模式的に示す断面図である。また、図１７はセンサチップの断面図である。
【００８２】
図１２及び図１７において、センサチップ２２０は検出対象のインク（液体）を受け入れるセンサキャビティ２２２を有しており、センサキャビティ２２２の下面をインクの受け入れを可能とするために開放している。センサキャビティ２２２の上面は、図１１及び図１７に示すように振動板２２４で塞がれている。さらに、振動板２２４の上面に圧電素子２２６が配置されている。
【００８３】
具体的に述べると、図１７に示すように、センサチップ２２０は、キャビティ板３００に振動板２２４を積層して構成されて、互いに対向する第１面３００ａおよび第２面３００ｂを有した振動キャビティ形成基部３００を有する。センサチップ２２０はさらに、キャビティ形成基部３００の第２面３００ｂ側に積層された圧電素子２２６を備える。
【００８４】
振動キャビティ形成基部３００には、検出対象の媒体（インク）を受け入れるための円筒形の空間形状を呈するキャビティ２２２が、第１面３００ａ側に開口するようにして形成されており、キャビティ２２２の底面部２２２ａが振動板２２４にて振動可能に形成されている。換言すれば、振動板２２４全体のうちの実際に振動する部分は、２２２によってその輪郭が規定されている。振動キャビティ形成基部３００の第２面３００ｂ側の両端には、電極端子２２８，２２８が形成されている。
【００８５】
振動キャビティ形成基部３００の第２面３００ｂには下部電極３１０が形成されており、この下部電極３１０は一方の電極端子２２８に接続されている。
【００８６】
下部電極３１０の上には圧電層３１２が積層されており、この圧電層３１２には、上部電極３１４が積層されている。上部電極３１４は、下部電極３１０と絶縁された補助電極３２０に接続されている。この補助電極３２０に他方の電極端子２２８が接続されている。
【００８７】
圧電素子２２６は、例えば、センサキャビティ２２２内のインクの有無による電気特性（例えば周波数）の違いでインクエンドを判断する機能を果たす。圧電層の材料としては、ジルコン酸チタン酸鉛（ＰＺＴ）、ジルコン酸チタン酸鉛ランタン（ＰＬＺＴ）、または、鉛を使用しない鉛レス圧電膜、等を用いることができる。
【００８８】
センサチップ２２０は、チップ本体の下面をセンサベース２１０の上面中央部に載せることにより、接着層２１６によってセンサベース２１０に一体に固着されており、その接着層２１６によって同時に、センサベース２１０とセンサチップ２２０間がシールされている。
【００８９】
（インク残量検出）
図１２に示すように、インク送出流路１３４の供給口１３５ａから導入されたインクは、隔壁１３６で仕切られた一方の部屋である上流バッファ室１３４ａに停留する。
【００９０】
この上流バッファ室１３４ａは、センサベース２１０の第１の孔２１２を介して、センサチップ２２０のセンサキャビティ２２２と連通している。このため、上流バッファ室１３４ａ内のインクは、インク導出に伴って第１の孔２１２を介してセンサキャビティ２２２に導かれる。ここで、圧電素子２２６により振動される振動板２２４からの振動がインクに伝達され、その残留振動波形の周波数によって、インクの有無が検出される。センサキャビティ２２２に、インク以外に空気が混入するエンドポイトでは、残留振動波形の減衰が大きく、インクが充満状態のときと比べて高周波数となる。これを検出することで、インクエンド検出が可能となる。
【００９１】
具体的には、圧電素子２２６に電圧を印加すると、圧電素子２２６の変形に伴い振動板２２４が変形する。圧電素子２２６を強制的に変形させた後、電圧の印加を解除すると、しばらくは、たわみ振動が振動板２２４に残留する。この残留振動は、振動板２２４とセンサキャビティ２２２内の媒体との自由振動である。従って、圧電素子２２６に印加する電圧をパルス波形あるいは矩形波とすることで、電圧を印加した後の振動板２２４と媒体との共振状態を容易に得ることができる。
【００９２】
この残留振動は、振動板２２４の振動であり、圧電素子２２６の変形を伴う。このため、残留振動に伴って圧電素子２２６は逆起電力を発生する。
【００９３】
回路基板２５０は、図１２に示すように、表裏面に貫通するスルーホール２５２に接続された電極２５４を有する。センサチップ２２０と接触する中継端子２４０からの信号は、スルーホール２５２及び電極２５４を介して、プリンタ本体に搭載される解析回路（図示せず）で処理され、その結果が回路基板２５０に搭載された半導体記憶装置（図示せず）に伝送される。つまり、圧電素子２２６の逆起電力は、中継端子２４０を介して解析回路に伝達され、その結果が半導体記憶装置に記憶される。
【００９４】
このようにして検出された逆起電力によって共振周波数が特定できるので、この共振周波数に基づいてインクカートリッジ１００内のインクの有無を検出することができる。なお、半導体記憶装置には、インクカートリッジ１００の種類等の識別情報と、インクカートリッジ１００が保持するインクの色の情報ならびにインクの現存量等の情報が格納される。
【００９５】
センサキャビティ２２２内に停留したインクは、さらなるインクの導出に伴って、センサベース２１０の第２の孔２１４を介して下流バッファ室１３４ｂに導かれる。さらには、インク排出口１３５ｂを介してインク送出流路１３４に沿って導出され、最終的にはインク供給部１１０（図２参照）を介してインクカートリッジ１００より排出される。
【００９６】
（センサベースの支持方法及び支持構造）
開口部１３０にセンサベース２１０、センサチップ２２０及びフィルム２０２を装着するには、次の二工程が必要である。つまり、センサチップ２２０が搭載された金属製センサベース２１０を、流路１３４が形成された本体ケース１０２の開口部１３０より流路１３４に臨んで配置する第１工程と、開口部１３０の周囲のリブ１３２にフィルム２０２を溶着して、フィルム２０２を介してセンサベース２１０を本体ケース１０２に支持する第２工程とが必要である。なお、第１工程及び第２の工程によって、センサチップ２２０に形成されたセンサキャビティ２２２が、センサベース２１０に形成された第１の孔２１２を介して上流バッファ室１３４ａと連通され、かつ、センサベース２１０に形成された第２の孔２１４を介して下流バッファ室１３４ｂと連通されて、液体の検出経路を形成することは上述の通りである。
【００９７】
本実施形態では、フィルム２０２の溶着前の第１工程にあっては、隔壁１３６によってのみセンサベース２１０が支持されている（隔壁による支持機能）。フィルム２０２が開口部１３０の周囲の溶着用リブ１３２に溶着される前にあっては、センサベース２１０が開口部１３０の所定の位置に仮位置決めされなければならないからである。また、第２工程にてフィルム２０２によってセンサベース２１０が支持された後は、開口部１３０の奥行き方向では、センサベース２１０は隔壁１３６のみと接触可能である（隔壁による上流・下流の仕切り機能）。なお、センサベース２１０はフィルム２０２によって支持されるので、センサベース２１０が常時隔壁１３６と接触していることは要求されないが、隔壁１３６の上流・下流仕切り機能は常時求められる。
【００９８】
ここで、図１２に示すように、本実施形態では、インク送出経路１３４を区画するために、センサベース２１０と対向して配置された流路壁１０２ａを有する。そして、隔壁１３６は、この流路壁１０２ａと一体的に形成されている。この隔壁１３６は、インク送出流路１３４を上流バッファ室１３４ａと下流バッファ室１３４ｂとに仕切るために不可欠な構造である。なぜなら、隔壁１３６が存在しないと、インク送出経路１３４内の媒体であるインクまたは気泡がセンサキャビティ２２２を経由することが保障されないからである。インク送出経路１３４内のインクまたは気泡がセンサキャビティ２２２を経由しないと、センサチップ２２０はインクエンドポイントを誤検出してしまう。
【００９９】
インク送出流路１３４を上流バッファ室１３４ａと下流バッファ室１３４ｂとに仕切るためには、隔壁１３６がセンサベース２１０と当接するか、あるいはセンサベース２１０と隔壁１３６との間の間隙を介して少なくとも気泡が通過しないように、わずかな間隙でなければならない。換言すれば、第１の孔２１２の流路抵抗よりも間隙の流路抵抗が大きく、少なくとも気泡の通過は許されない。これが、隔壁１３６の本来的な機能である。
【０１００】
一方、隔壁１３６はセンサベース２１０の装着時（第１工程）にはセンサベース２１０に当接して支持され、開口部１３０の奥方にセンサベース２１０が落下してしまうことを防止できる。つまり、第１工程では、隔壁１３６がセンサベース２１０の仮支持機能を有する。
【０１０１】
フィルム２０２が開口部１３０の周囲の溶着用リブ１３２に溶着されて、センサベース２１０及びセンサチップ２２０が開口部１３０に取り付けられた後も、センサベース２１０はセンサチップ２２０及びフィルム２０２以外には隔壁１３６のみと接触する。つまり、開口部１３０の奥行き方向では、センサベース２１０は隔壁１３６とのみ接触可能である。
【０１０２】
このことが、圧電素子２２６による残留振動波形の検出を可能とする。なぜなら、本実施形態ではインク検出装置２００の本体ケース１０２は、インクカートリッジ１００の本体ケースの一部であり、容量が大きい。一般に、本体ケース１０２は樹脂製例えばポリプロピレン等の柔軟材で形成されるが、容量が大きいと振動吸収が大きくなる。
【０１０３】
ここで、圧電素子２２６が振動すると、振動板２２４の他、このセンサチップ２２０が搭載されているセンサベース２１０も振動する。このセンサベース２１０と本体ケース１０２の接触面積が大きいと、センサベース１０２の振動は本体ケース１０２に吸収されてしまう。この場合、残留振動波形の振幅は、圧電素子２２６にて検出できる程度の充分な大きさが得られない。
【０１０４】
本実施形態では、センサベース２１０はフィルム２０２と隔壁１３６のみによって支持されているので、本体ケース１０２に吸収される振動波は最小限となり、圧電素子２２６にて検出可能な充分な振幅を確保している。
【０１０５】
図１３は、隔壁１３６の途中で切断した状態を下方から見た図である。隔壁１３６は、センサベース２１０の第１，第２の孔２１２，２１４の間に位置する。しかも、隔壁１３６の先端部の最大厚さは、隔壁１３６が第１，第２の孔２１２，２１４と接する場合であり、第１，第２の孔２１２，２１４を塞ぐものであってはならない。所定に設計された第１，第２の孔の流路抵抗を増大させるからである。
【０１０６】
（変形例）
なお、上記のように本実施形態について詳細に説明したが、本発明の新規事項および効果から実体的に逸脱しない多くの変形が可能であることは当業者には容易に理解できるものである。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。
【０１０７】
隔壁１３６は、図１４（Ａ）（Ｂ）に示すように、流路壁１０２ａ側の基端１３６ａよりも、自由端１３６ｂの厚さを薄くしたテーパ形状としてもよい。つまり、基端１３６ａが第１，第２の孔２１２，２１４のエッジ間距離よりも広くても、自由端１３６ｂの厚さが図１２と同様にエッジ間距離以下であればよい。第１，第２の孔２１２，２１４での流路抵抗を増大させることがないからである。基端１３６ａを厚くすることで、射出成形時の成形性を改善できる。なお、自由端１３６ｂを薄くする手法としては、図１４（Ｂ）のように傾斜テーパ面とすることの他、自由端部を湾曲させてもよい。
【０１０８】
センサベース２１０の取りつけ時の安定性を高めるためには、図１５（Ａ）（Ｂ）のように構成しても良い。つまり、隔壁１３６以外の補助支持リブ１３８を設けても良い。図１５（Ａ）（Ｂ）では、センサベース２１０の長手方向の両端側にて当接可能な２つの補助支持リブ１３８を配置した。ただし、流路壁１０２ａから、２つの補助支持リブ１３８の先端に至る高さＨ１は、隔壁１３６の先端までの高さＨ２よりも低い。
【０１０９】
図１２に示す実施形態では、センサベース２１０の取り付け時には隔壁１３６によってのみ支持されるので、センサベース２１０はシーソーのように中心支持となり、安定性はよくない。図１５（Ａ）（Ｂ）の実施形態では、センサベース２１０が傾いても、その下降した端部が補助支持リブ１３８に当接するので、隔壁１３６との２点支持となって安定する。
【０１１０】
ただし、補助支持リブ１３８は、センサベース２１０の組立後にあっては、図１５（Ｂ）に示すように、センサベース２１０が流路壁１０２ａとほぼ平行に配置されるので、センサベース２１０は補助支持リブ１３８と非接触となる。これにより、図１２の実施形態と同様に残留振動波形の振幅を大きく確保できる。
【０１１１】
また、補助支持リブ１３８は、センサベース２１０の組立後にあっても、落下衝撃力が作用するように異常時でも、センサベース２１０が過度に傾くことを防止できる。このため、フィルム２０２に支持されたセンサベース２１０が過度に傾いて、フィルム２０２を突き破ってしまうことを防止できる。
【０１１２】
また、隔壁１３６は、流路壁１０２ａに設けるものに限らない。例えば、図１６に示すように、センサベース２１０の第１，第２の孔２１２，２１４の間より垂下する隔壁２１６を設けても良い。この隔壁２１６は、流路壁１０２ａと接触するか、第１の孔２１２の流路抵抗よりも大きい流路抵抗をもつ僅かな間隙を介して対向する。図１６ではさらに、センサベース２１０の例えば長手方向の両端位置にて垂下する補助支持リブ２１８を設けている。センサベース２１０の下面から、２つの補助支持リブ２１８の先端に至る高さＨ１は、隔壁２１６の先端までの高さＨ２よりも低い。こうしても、図１５（Ａ）（Ｂ）の実施形態と同様の効果を得ることができる。なお、流路壁１０２ａとセンサベース２１０の一方に隔壁を設け、他方に補助支持リブを設けても良い。このように、センサベース２１０に隔壁２１６及び／または補助支持リブ２１８を設ける場合には、センサベース２１０は例えば切削加工となる。
【０１１３】
（誤検出防止構造）
次に、気泡による誤検出を防止するための構造について、図１８〜図２３を参照して説明する。
【０１１４】
図１８は、図１４（Ｂ）、図１５（Ｂ）または図１６に示すセンサベース２１０の取り付け構造を、各図の上方から見て模式的に示す平面図である。ただし、図１８ではフィルム２０２を除去して図示している。図１８に示すように、本体ケース１０２には開口部１０２Ａが形成され、この開口部１０２Ａ内にセンサベース２１０が配置された状態で、センサベース２１０がフィルム２０２によって支持される。ただし、図１８ではフィルム２０２は図示されていない。
【０１１５】
ここで、開口部１０２Ａの内壁部と、矩形状のセンサベース２１０の四辺との間には、僅かな隙間Ｄ１が形成される。この隙間Ｄ１を少なくするように、設計上で公差を設定することで、センサベース２１０が開口部１０２Ａ内に位置決めされることになる。
【０１１６】
図１８に示す構造の問題点について説明する。本体ケース１０２内にインクを充填する際には、本体ケース１０２内を真空に近い状態としてインクが充填される。このとき、隙間１０３は、図１２に示す上流バッファ室１３４ａまたは下流バッファ室１３４ｂに連通しているが、インクが入り込まない程度に狭いので、上流バッファ室１３４ａおよび下流バッファ室１３４ｂにインクが充満されると、隙間Ｄ１には気泡が残る。
【０１１７】
この気泡は、フィルム２０２が例えばポリプロピレン（ｐｐ）等のように気体透過性があるので、長い時間をかけて気体を引き込んで成長し、気泡が大きく成長する。成長した気泡は、例えばセンサベース２１０上の圧電素子２２６（図１参照）の振動などによって、隙間Ｄ１から抜け出て、図１２に示すセンサキャビティ２２２に連通する上流バッファ室１３４ａまたは下流バッファ室１３４ｂに入り込む。この気泡がセンサキャビティ２２２に到達すると、まだインクが残存しているにも拘わらずインクエンドが誤検出されてしまう。
【０１１８】
この問題を改善した構造を、図１９（Ａ）〜図１９（Ｃ）に模式的に示す。図１９（Ａ）は、図１８と同じ状態で示された本実施形態の平面図である。図１９（Ｂ）は図１９（Ａ）のＡ２−Ａ２断面図、図１９（Ｃ）は図１９（Ａ）のＢ２−Ｂ２断面図である。
【０１１９】
図１９（Ａ）は解決原理を示すものであるので、模式的に示すセンサベース２１０は、四辺を有する矩形とする。開口部４０２には、センサベース２１０の四辺と対向する位置に、センサベース２１０の四辺に向けて突出する四つの位置決め部４１０，４１１，４１２，４１３が局所的に設けられている。
【０１２０】
このとき、図１９（Ａ）に示すように、センサベース２１０の短手方向の長さと、位置決め部４１０，４１２間の距離との間には、隙間Ｄ１が生じている。同様に、センサベース２１０の長手方向の長さと、位置決め部４１１，４１３間の距離との間には、隙間Ｄ１が生じている。隙間Ｄ１を設計上にて寸法公差で規定することで、四つの位置決め部４１０〜４１３によって、センサベース２１０を位置決めすることができる。なお、隙間Ｄ１の寸法は図１８に示す隙間Ｄ１と同じであり、この隙間Ｄ１は、インクは流れ込まない程度に狭い。
【０１２１】
一方、四つの位置決め部４１０，４１１，４１２，４１３を除いた領域にて、開口部４０２を形成する壁部とセンサベース２１０の四辺との間には、上述した設計公差による隙間Ｄ１よりも充分に大きい隙間Ｄ２が形成されている。この隙間Ｄ２は、図１９（Ａ）に示す隔壁１３６にて仕切られた、図１９（Ｂ）または図１９（Ｃ）に示す上流バッファ室１３４ａまたは下流バッファ室１３４ｂにて形成される流路１３４の一部を形成している。
【０１２２】
つまり、インク注入時には、図１９（Ｂ）の実線に示すようにインクはセンサベース２１０の第１の孔２１２を介してセンサキャビティ２２２に導入されるが、図１９（Ｂ）の破線で示すように、第１のバッファ室１３４ａへの供給口１３５ａから導入されたインクは、進行方向の前方にある壁（センサベース２１０）に当たって分散し、センサベース２１０の周囲の隙間Ｄ２にもインクが流入する。あるいは、図１９（Ｃ）の実線に示すようにインクはセンサベース２１０の第２の孔２１４を介してセンサキャビティ２２２から排出口１３５ｂに導出されるが、図１９（Ｂ）の破線で示すように、第２の孔２１４から導出されたインクは、進行方向の前方にある壁（下流バッファ室１３４ｂの壁）に当たって分散し、センサベース２１０の周囲の隙間Ｄ２にもインクが流入する。
【０１２３】
このように、隙間Ｄ２にもインクが充満され、気泡が残留しない。これにより、インクエンドの誤検出を防止できる。
【０１２４】
なお、隙間Ｄ２にインクを流れ込みやすくするには、上流バッファ室１３４ａの供給口１３５ａがセンサベース２１０の第１の孔２１４と非対向な位置に設定され、下流バッファ室１３４ｂの排出口１３５ｂがセンサベース２１０の第１の孔２１４と非対向な位置に設定されていることが好ましい。こうすると、上述のように、導入または導出されるインクの進行方向の前方に壁が存在するので、インクが分散して隙間Ｄ２に流れ込みやすくなるからである。
【０１２５】
ここで、四つの位置決め部のうちの対向する二つ位置決め部４１０，４１２は、隔壁１３６の延長線上に存在する（図１９（Ａ）参照）。そうしないと、隔壁１３６の一方より他方に連通する流路が、隙間Ｄにより形成されてしまい、センサキャビティ２２２を通過しないインク流路が形成されてしまうからである。
【０１２６】
図１９（Ａ）〜図１９（Ｃ）の実施形態をより具体的にした他の実施形態を図２０〜図２３に示す。図２０は、図１９と同じ状態で示された他の実施形態の平面図である。図２１は図２０のＡ３−Ａ３断面図、図２２は図２０のＢ３−Ｂ３断面図である。図２３は、センサベース２１０の装着前の本体ケース４００の平面図である。
【０１２７】
図２０は、図１８と同じ状態で示された本実施形態の平面図である。図２１は図２０のＡ３−Ａ３断面図、図２２は図２０のＢ３−Ｂ３断面図である。図２３は、センサベース２１０の装着前の本体ケース４００の平面図である。
【０１２８】
図２０に示すように、本体ケース４００の開口部４０２の周囲には、フィルム２０２（図示省略）と熱溶着されるリング状の溶着代４０４が形成されている。センサベース２１０は、直交二軸でそれぞれ２辺が対向する計四辺を有する。センサベース２１０は、位置決めの必要から四辺を有するが、この各辺を結ぶ形状は問わない。
【０１２９】
図２０〜図２３に示すように、開口部４０２には、センサベース２１０の四辺と対向する位置に、センサベース２１０の四辺に向けて突出する四つの位置決め部４１０，４１１，４１２，４１３が設けられている。このうち、位置決め部４１０は、センサベース２１０の一辺、特に長辺に沿って長手状に形成されている。他の位置決め部４１１〜４１３は、センサベース２１０の残りの三辺に対して局所的に設けられている。
【０１３０】
センサベース２１０が有する、直交二軸でそれぞれ２辺が対向する計四辺と、それらと向かい合う４つの位置決め部４１０〜４１３との間の隙間Ｄ１（図２０〜図２３では省略）に設計上で公差を設定することで、センサベース２１０が開口部４０２内に位置決めされることになる。また、４つの位置決め部のうちの少なくとも一つの位置決め部４１０が、センサベース２１０の一辺、特に長辺に沿って長手状に形成されることで、センサベース２１０の回転方向の位置決めに効果的である。ただし、隙間Ｄ１の領域を多く設定することは、気泡の発生から好ましくなく、回転規制の関係からは、長手状に形成される位置決め部は一辺に沿ってのみ形成すれば良い。
【０１３１】
そして、四つの位置決め部４１０，４１１，４１２，４１３を除いた領域にて、開口部４０２を形成する壁部とセンサベース２１０の四辺との間には、上述した設計公差による隙間よりも充分に大きい隙間Ｄ２が形成されている。この隙間Ｄ２は、隔壁１３６にて仕切られた上流バッファ室１３４ａまたは下流バッファ室１３４ｂにて形成される流路１３４の一部を形成している。
【０１３２】
上述の通り、本体ケース４００内を真空に近い状態としてインクが充填される。このとき、上流バッファ室１３４ａまたは下流バッファ室１３４ｂに連通している隙間Ｄ２も、インクの流路となり得るので、上流バッファ室１３４ａおよび下流バッファ室１３４ｂにインクが充満されると、隙間Ｄ２にもインクが充満され、気泡が残留しない。これにより、インクエンドの誤検出を防止できる。
【０１３３】
なお、四つの位置決め部のうちの対向する二つ位置決め部４１０，４１２は、隔壁１３６の延長線上に存在し（図２３参照）、センサキャビティ２２２を通過しないインク流路が形成されるのを防止している。
【０１３４】
図２０〜図２３に示す実施形態においても、上流バッファ室１３４ａの供給口１３５ａがセンサベース２１０の第１の孔２１４と非対向な位置に設定され、下流バッファ室１３４ｂの排出口１３５ｂがセンサベース２１０の第１の孔２１４と非対向な位置に設定されている。この供給口１３５ａ及び排出口１３５ｂの位置については、図２４（Ａ）及び図２４（Ｂ）に示すように設定しても良い。図２４（Ａ）は図２０（Ａ）と同じ状態を示すさらに他の実施形態の平面図であり、図２４（Ｂ）は図２４（Ａ）のＡ４−Ａ４断面図である。
【０１３５】
図２４（Ａ）及び図２４（Ｂ）に示す実施形態では、上流バッファ室１３４ａに設けられた供給口１３５ａと、下流バッファ室１３４ｂに設けられた排出口１３５ｂは、共に開口部４０２の隙間Ｄ２と対向する位置に配置されている。この場合、供給口１３５ａと上流バッファ室１３４ａとを仕切る間仕切壁１３４ａ１と、排出口１３５ｂと下流バッファ室１３４ｂとを仕切る間仕切壁１３４ｂ１とを設けることが好ましい。
【０１３６】
供給口１３５ａより導入されたインクは、直進することで隙間Ｄ２に流れ込み、好ましくは間仕切壁１３４ａ１にて案内されて隙間Ｄ２に流れ込むからである。同様に、センサベース２１０の第２の孔２１６から排出されたインクは、下流バッファ室１３４ｂの壁に当たって分散して隙間Ｄ２に流れ込み、好ましくは間仕切壁１３４ｂ１に案内されて隙間Ｄ２に流れ込むからである。
【０１３７】
（バイパス流路の詳細）
図４にて説明した気泡抜きのためのバイパス流路２８８の詳細について、図２５〜図２７を参照して説明する。図２５は、図２に示すケース本体１０２をフィルム１０４側から見た図である。図２６は図２５のＣ部の拡大平面図であり、図２７はＣ部の拡大斜視図である。
【０１３８】
図２６及び図２７において、ケース本体１０２には、液体収容室であるタンク室２６０、迂回流路２７０及び気泡トラップ室２８２が設けられ、これらはフィルム１０４（図２）の装着面側にて開口する開口部を有している。ケース本体１０２のうちフィルム１０４が装着される面側のシール面６００に、フィルム１０４が熱溶着される。それにより、タンク室２６０、迂回流路２７０及び気泡トラップ室２８２の各開口部が液密にシールされる。
【０１３９】
ここで、図２５〜図２６は、図２に示すインク消費時（使用時）の姿勢ではなく、このインクカートリッジ１００にインクを充填する時の充填時の姿勢を図示している。つまり、インクカートリッジ１００の使用時と、インク充填時とは、インクカートリッジ１００の上下が逆転して配置される。インク充填は、インク供給部１１０を上にして、インク供給部１１０からインクが充填されるからである。
【０１４０】
インク充填時には、気泡トラップ室２８２の鉛直上方側に配置される排出口２８６からインクが気泡トラップ室２８２内に導入される。またこのとき、気泡トラップ室２８２の鉛直下方側に配置される導入口２８４から、迂回流路２７０にインクが排出されることになる。つまり、インク充填時では、インク消費時（使用時）とは上下位置関係が逆転する上に、導出口２８４が排出口となり、排出口２８６が導入口となり、機能も逆転する。以降は、インク消費時（使用時）とインク充填時とでの名称と機能の混乱を避けるために、導入口２８４及び排出口２８６を、第１の連通口２８４及び第２の連通口２８６とも称する。
【０１４１】
図２に示すインク消費時（使用時）の姿勢では、気泡トラップ室２８２に対する第１，第２の連通口２８４，２８６の位置関係が、気泡をトラップできる点で有用であることは説明した。
【０１４２】
しかし、位置関係が逆転し、出口と入り口も逆転する充填時では、気泡トラップ室２８２に対する第１，第２の連通口２８４，２８６の位置関係が好ましくない。なぜなら、図２７の第２の連通口２８６が、気泡トラップ室２８２の鉛直上方部に位置し、インク充填時の入り口となる。一方、図２７の第１の連通口２８４が、気泡トラップ室２８２の鉛直下方部に位置し、インク充填時の出口となる。気泡トラップ室２８２の鉛直上方部に位置する第２の連通口２８６からインクが充填され、気泡トラップ室２８２の鉛直下方部に位置する第１の連通口２８４からインクが排出されると、気泡トラップ室２８２の鉛直上方部に気泡が溜まる淀みができ易い。この気泡の逃げ場がないと、気泡トラップ室２８２はインクで満たされない。そればかりか、気泡トラップ室２８２に残留した気泡が、インク消費時にインク検出装置２００に移動し、センサキャビティ２２２に入り込んでインクエンド誤検出を生じてしまう。
【０１４３】
そこで、気泡抜きのためのバイパス流路２８８を設けた。このバイパス流路２８８は、特許文献５，６の技術と同様に、フィルム１０４を一部未溶着として形成されることでは同じであるが、その設置場所と用途または目的が特許文献５，６とは異なっている。
【０１４４】
バイパス流路２８８は、図２７に示すように、シール面６００よりも高さＴだけ突出した一つ以上の突起６１０、本実施形態では三つの突起６１０により確保される。この突起６１０がフィルム１０４と溶着されないと、ケース本体１０２の一面に形成されたシール面６００とフィルム１０４との間には、突起６１０により生じた隙間が確保される。この隙間がバイパス流路２８８となる。より詳しくは、気泡トラップ室２８２の開口部からフィルム１０４の未溶着部分（特に２本の突起６１０の間）を介して迂回流路２７０の開口部が連通して、バイパス流路２８８が形成される。
【０１４５】
なお、バイパス流路２８８は、シール面６００よりもある深さだけ窪んだ一つ以上の溝によっても確保される。この溝がフィルム１０４と溶着されないと、溝の底部とフィルム１０４との間に隙間が確保されるからである。
【０１４６】
（液体収容容器の製造方法）
図２５〜図２７に示す構造のケース本体を有するインクカートリッジ１００（液体収容容器）の製造方法は、以下の工程を有する。先ず、気泡トラップ室２８２及び迂回流路にそれぞれ連通する各々の開口部が形成されたケース本体１０２の一面に形成されたシール面６００に、図２に示すフィルム１０４を溶着する。この際、上述した通り、バイパス流路２８８を確保するために、突起６１０または溝はフィルム１０４と溶着されない未溶着部分とする。なお、この溶着作業は、インクカートリッジ１００を減圧雰囲気内に配置して行うことが好ましい。無駄なエアがインクカートリッジ１００内のインク流路に入らないからである。
【０１４７】
次に、インク消費時の姿勢（図２、図３、図６等）とはインクカートリッジ１００の上下を逆転させた姿勢（図２５〜図２７）として、インク供給口１１０よりインクを充填する。その充填時に、気泡トラップ室２８２の鉛直上方部に配置される第２の連通口２８６より気泡トラップ室内にインクを導入する。インクの導入は、インク供給圧に加え、インク流路が減圧されていることでより円滑に行われる。また、インク充填を、迂回流路２７０よりさらに下流側の開口（図示せず）から減圧排気しながら行ってもよい。気泡トラップ室２８２内のインクは、気泡トラップ室２８２の鉛直下方部に位置する第１の連通口２８４を経て、迂回流路２７０、さらにはその下流のタンク室２６０等に供給される。
【０１４８】
そのインク充填時に、気泡トラップ室２８２の鉛直上方部に溜まる気泡を、気泡トラップ室２８２の開口部からフィルム１０４の未溶着部分を介して迂回流路２７０の開口部に至るバイパス流路２８８を経て、気泡トラップ室２８２より迂回流路２７０に逃がす。この気泡は、大気開放された末端開口から外部に放出される。なお、迂回流路２７０よりさらに下流側の開口から減圧排気していると、気泡はインクカートリッジ１００外に強制排気される。
【０１４９】
そして、インク充填工程の終了後に、フィルム１０４の未溶着部分を溶着してバイパス流路２８８を閉鎖する。バイパス流路２８８はインク充填時のみ必要であり、インク消費時には不要だからである。
【０１５０】
この収容容器の製造方法は、図２５〜図２７に示したインクカートリッジ１００に限定されず、液体収容容器の用途は、インクジェット記録装置のインクカートリッジに限らない。微小量の液滴を吐出させる液体噴射ヘッド等を備える各種の液体消費装置に適用可能である。
【０１５１】
液体消費装置の具体例としては、例えば液晶ディスプレイ等のカラーフィルタ製造に用いられる色材噴射ヘッドを備えた装置、有機ＥＬディスプレイ、面発光ディスプレイ（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置、捺染装置やマイクロデスペンサ等が挙げられる。
【０１５２】
また、本発明の液体収容容器は、オンキャリッジタイプのインクカートリッジに限らず、キャリジに搭載されないサブタンクや、オフキャリジタイプのインクカートリッジ等であっても良い。
【０１５３】
さらには、上述した実施形態では、液体検出装置のケース本体を液体収容容器のケース本体の一部として、特許文献２のようなシーリングゴムやスプリングを排除したが、これに限定されない。液体収容容器のケース本体とは別個のユニットとして液体検出装置を構成しても良い。この場合、シーリングゴムやスプリングを排除できないかもしれないが、ユニットケースが大型化したとしても、そのユニットケースでの振動吸収を最小限に抑えて検出波形の振幅を大きく確保することに寄与できる。
【０１５４】
上記実施形態において、液体噴射装置を、記録用紙（図示略）の搬送方向（前後方向）と交差する方向において記録ヘッド１９が記録用紙（図示略）の幅方向（左右方向）の長さに対応した全体形状をなす、いわゆるフルラインタイプ（ラインヘッド方式）のプリンタに具体化してもよい。
【０１５５】
上記実施形態では、液体噴射装置をインクジェット式プリンタ１１に具体化したが、この限りではなく、インク以外の他の液体（機能材料の粒子が液体に分散又は混合されてなる液状体、ゲルのような流状体を含む）を噴射したり吐出したりする液体噴射装置に具体化することもできる。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射する液状体噴射装置、バイオチップ製造に用いられる生体有機物を噴射する液体噴射装置、精密ピペットとして用いられ試料となる液体を噴射する液体噴射装置であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置、ゲル（例えば物理ゲル）などの流状体を噴射する流状体噴射装置であってもよい。そして、これらのうちいずれか一種の液体噴射装置に本発明を適用することができる。なお、本明細書において「液体」とは、気体のみからなる液体を含まない概念であり、液体には、例えば無機溶剤、有機溶剤、溶液、液状樹脂、液状金属（金属融液）等のほかに、液状体、流状体などが含まれる。
【０１５６】
液体収容容器によっては、気泡トラップ室２８２に液体を充填する場合でなく、液体をためるタンク室を持つ液体収容容器に、上述した製造方法を適用することもできる。つまり、上述したように液体消費時に気泡トラップを実施するものに限らない。液体消費時に気泡トラップを実施しなくても、液体充填時に停留する気泡を除去してタンク室内に液体を充満させたい需要があり得るからである。
【０１５７】
さらに言えば、本発明の実施形態に係る液体収容容器の製造方法は、必ずしも使用時の姿勢と充填時の姿勢とが上下で逆転するものでなく良い。用途によっては、液体消費がないものや、気泡トラップ以外の理由でタンク室に第１，第２の連通口２８４，２８６を上記と同様な位置関係でさせたいニーズがあり得るからである。迂回流路２７０も必須でなく、第１の連通口２８４と接続された流路であれば良い。
【０１５８】
例えば、充填時でも消費時でも、常に液体が一方向に流れる一種のバッファとしての液体収容容器があり得る。この場合、気泡トラップ室２８２に代わるタンク室では、常に気泡抜きのニーズがあるので、必ずしも液体充填後にバイパス流路２８８を閉鎖する必要はない。
【図面の簡単な説明】
【０１５９】
【図１】液体消費装置であるインクジェット式プリンタの概略斜視図である。
【図２】インクカートリッジの分解斜視図である。
【図３】図２の一部を拡大したインク検出装置の分解斜視図である。
【図４】インク検出装置の上流側の気泡トラップ室を含む本実施形態の流路を模式的に示す断面図である。
【図５】図４の比較例である気泡トラップ室を示す断面図である。
【図６】インクカートリッジの正面図である。
【図７】図６のＡ１−Ａ１断面図である。
【図８】図６のＢ１−Ｂ１断面図である。
【図９】インクカートリッジの右側面図である。
【図１０】センサベースを裏から見た斜視図である。
【図１１】センサチップが搭載されたセンサベースを表から見た斜視図である。
【図１２】インク検出装置の組立後の断面図である。
【図１３】センサベースの第１，第２の孔と隔壁との位置関係を示す概略説明図である。
【図１４】図１４（Ａ）（Ｂ）は、隔壁の変形例を示す図である。
【図１５】図１５（Ａ）（Ｂ）は、補助支持部を設けた変形例を示す図である。
【図１６】隔壁及び補助支持部をセンサベース側に設けた変形例を示す図である。
【図１７】センサチップの断面図である。
【図１８】図１４（Ｂ）、図１５（Ｂ）または図１６に示すセンサベース２１０の取り付け構造を、各図の上方から見て模式的に示す平面図である。
【図１９】図１９（Ａ）は図１８と同じ状態で示された本実施形態の平面図、図１９（Ｂ）は図１９（Ａ）のＡ２−Ａ２断面図、図１９（Ｃ）は図１９（Ａ）のＢ２−Ｂ２断面図、
【図２０】図１９のより具体的な実施形態を示す平面図である。
【図２１】図２０のＡ３−Ａ３断面図である。
【図２２】図２０のＢ３−Ｂ３断面図である。
【図２３】センサベース２１０の装着前の本体ケース４００の平面図である。
【図２４】図２４（Ａ）は図１９及び図２０と同じ状態を示すさらに他の実施形態を示す平面図、図２４（Ｂ）は図２４（Ａ）のＡ４−Ａ４断面図である。
【図２５】図２に示すケース本体をフィルム側から見た図である。
【図２６】図２５のＣ部の拡大平面図である。
【図２７】図２５のＣ部の拡大斜視図である。
【符号の説明】
【０１６０】
１００  液体収容容器（インクカートリッジ）、１０２  本体ケース、１０２ａ  流路壁、１１０  液体供給部、１３０  開口部、１３２  溶着用リブ、１３４  流路（送出流路）、１３４ａ  上流バッファ室、１３４ａ１  間仕切壁、１３４ｂ  下流バッファ室、１３４ｂ１  間仕切壁、１３５ａ  供給口、１３５ｂ  排出口、１３６  隔壁、１３６ａ  基端部、１３６ｂ  自由端部、１３８、補助支持部、２００  液体検出装置、２０２  フィルム、２１０  センサベース、２１２  第１の孔（供給路）、２１４  第２の孔（排出路）、２１６  隔壁、２１８  補助支持部、２２０  センサチップ、２２２  センサキャビティ、２２４  振動板、２２６  圧電素子、２２８  電極、２３０  押さえカバー、２４０  中継端子、２５０  回路基板、２６０  液体収容室（タンク室）、２７０  迂回流路、２８０  気泡トラップ部、２８２  気泡トラップ室（タンク室）、２８４  導入口、２８６  排出口、２８８  バイパス流路、２９０  連絡流路、３００  キャビティ形成基部、３００ａ  第１面、３００ｂ  第２面、４００  本体ケース、４０２  開口部、４１０〜４１３  位置決め部、６００  シール面、６１０  突起、Ｄ１  公差上の隙間、Ｄ２  隙間
【図１】
0005088193.tif 000002
【図２】
0005088193.tif 000003
【図３】
0005088193.tif 000004
【図６】
0005088193.tif 000005
【図７】
0005088193.tif 000006
【図８】
0005088193.tif 000007
【図９】
0005088193.tif 000008
【図１０】
0005088193.tif 000009
【図１１】
0005088193.tif 000010
【図１２】
0005088193.tif 000011
【図１３】
0005088193.tif 000012
【図１４】
0005088193.tif 000013
【図１５】
0005088193.tif 000014
【図１６】
0005088193.tif 000015
【図１７】
0005088193.tif 000016
【図２０】
0005088193.tif 000017
【図２１】
0005088193.tif 000018
【図２２】
0005088193.tif 000019
【図２３】
0005088193.tif 000020
【図２５】
0005088193.tif 000021
【図２６】
0005088193.tif 000022
【図２７】
0005088193.tif 000023
【図４】
0005088193.tif 000024
【図５】
0005088193.tif 000025
【図１８】
0005088193.tif 000026
【図１９】
0005088193.tif 000027
【図２４】
0005088193.tif 000028